(57)【特許請求の範囲】
【請求項１】
菓子等の内容物の包装用の紙容器であって、上板パネル、側板パネル、底板パネル及び上板パネルに重ね合わされる蓋板パネルを備え、上板パネルには内容物の取り出し口が設けられ、蓋板パネルは根部と該根部に対して折線を介して連設され、該折線を中心に回動自在な蓋板本体からなり、前記折線は内容物の取り出し口の後方端縁の近傍に位置し、根部には前記折線から根部側へ突出してコ字状切り込みが刻設され、前記根部はコ字状切り込みで囲まれた領域をそれに対応する上板パネルの領域に接着しないように前記折線の近傍を除いて上板パネルに固着され、蓋板本体を開いたとき蓋板本体から上板パネルの方へ突出するコ字状切り込みで囲まれた領域が上板パネルの上面に支承され、それによって蓋板本体が開いた位置に保持されるように構成されていることを特徴とする紙容器。
【発明の詳細な説明】
【０００１】
【発明の属する技術分野】
本発明はチョコレート、ビスケット、クッキー等の内容物の包装用の紙容器に関する。
【０００２】
【従来の技術】
従来より図４に示すように上壁４０から前壁４４にかけて刻設されたジッパ４１に沿って切り離し、図５に示すように蓋４２の後端に位置する折り目線４３を軸として蓋の開閉を行うことができる紙容器が知られている。
【０００３】
しかしながらこの紙容器においては蓋４２はその自重により自然に閉じてしまうため、内容物を繰り返して取り出すような場合、蓋４２が閉じてしまわないように手で押さえていなければならなかった。
【０００４】
この欠点を解消した容器として、図６に示すように上壁に切り込みにより後端縁の折り目線を軸として起伏する蓋を形成した紙箱において、前記蓋に前記折り目線より後方へ突出する舌片を連設し、この舌片の下面に重なり合う固定片を設けた紙箱が提案されている（特開平１０−１８１７３９）。
【０００５】
しかしながらこの容器には上壁から前壁にかけて刻設された切込みに沿って切り離すことにより形成される内容物の取り出し口４５の一部を取り出し口４５内へ突出するように設けられた、舌片４６を支承する固定片４７が取り出し口の面積を小さくしてしまう欠点があった。
【０００６】
【発明が解決しようとする課題】
本発明の目的は広い取り出し口を有する菓子等の内容物の包装用の紙容器において蓋の起立状態を保つことができ、しかも取り出し口が狭くなることのない紙容器を提供することである。
【０００７】
【課題を解決するための手段】
本発明は上記の課題を解決するもので、菓子等の内容物の包装用の紙容器であって、上板パネル、側板パネル、底板パネル及び上板パネルに重ね合わされる蓋板パネルを備え、上板パネルには内容物の取り出し口が設けられ、蓋板パネルは根部と該根部に対して折線を介して連設され、該折線を中心に回動自在な蓋板本体からなり、前記折線は内容物の取り出し口の後方端縁の近傍に位置し、根部には前記折線から根部側へ突出してコ字状切り込みが刻設され、前記根部はコ字状切り込みで囲まれた領域をそれに対応する上板パネルの領域に接着しないように前記折線の近傍を除いて上板パネルに固着され、蓋板本体を開いたとき蓋板本体から上板パネルの方へ突出するコ字状切り込みで囲まれた領域が上板パネルの上面に支承され、それによって蓋板本体が開いた位置に保持されるように構成されていることを特徴とする紙容器を要旨とする。
【０００８】
本発明の紙容器においては蓋の起立状態を保つことができ、しかも取り出し口が狭くなることのないのみならず根部が固着される領域以外の上板領域に広い取り出し口を形成することができる。
【０００９】
【発明の実施の形態】
図１は本発明に係る紙容器のブランク板の展開図を示す。上板パネル１には内容物の取り出し口１５が設けられている。また上板パネル１には側板パネル３を介して底板パネル６が連設されている。上板パネル１及び底板パネル６にはそれぞれ側板パネル２及び側版パネル４が連設されている。更に底板パネル６には側板パネル３に対向するもう一つの側板パネル５が連設されている。側板パネル３及び側板パネル５には、側板パネル２側に位置し、ブランクを組み立てた状態において側板パネル２の内側に位置せしめられる補助パネル８がそれぞれ設けられていると共に側板パネル４側に位置し、ブランクを組み立てた状態において側板パネル４の内側に位置せしめられる補助パネル８がそれぞれ設けられている。
【００１０】
更に底板パネル６に側板パネル５を介して蓋板パネル７が設けられている。蓋板パネル７は根部９と該根部９に対して折線１１を介して連設され、該折線１１を中心に回動自在な蓋板本体１０からなり、折線１１はブランクを組み立てた状態において内容物取り出し口１５の後方端縁の近傍に位置し、根部９には折線１１から根部９側へ突出してコ字状切り込み１２が刻設され、根部９はコ字状切り込み１２で囲まれた領域をそれに対応する上板パネルの領域に接着しないように折線１１の近傍を除いて上板パネル１に固着される。さらに蓋板本体１０には斜めの切り取り線１３と係合切れ目１４が刻設されている。この係合切れ目１４は後述するように切り取り線１３に沿って蓋板本体１０を切り離した後、取り出し口１５の円弧状部１６に係止されるものである。
【００１１】
図２は本発明の紙容器の組み立ての途中過程を示す。蓋板パネル７を上板パネル１に重ねると共に蓋板パネル７の根部９がコ字状切り込み１２で囲まれた領域をそれに対応する上板面領域に接着しないように折線１１の近傍を除いて上板パネル１に固着されると共に切り取り線１３より蓋板パネル７のコーナー側の略三角形の領域をそれに対応する上板面領域に固着する。
【００１２】
次いで側板パネル３及び側板パネル５を起立させ補助パネル８を側板パネル３及び側板パネル５に対して直角に折り曲げその外側に底板パネル６に連設された側板パネル４を配置し、更に側板パネル４に上板パネル１に連設された側板パネル４を重ね合わせ、両側板パネル 4、４を互いに固着することにより本発明の紙容器が形成される。
【００１３】
図３は本発明の紙容器を開いた状態を示す。切り取り線１３に沿って蓋板本体１０を切り離して固着部１７を残して蓋板本体１０をおこし、コ字状切り込み１２で囲まれた蓋板本体１０から突出する領域を取り出し口１５の後方端縁近傍の上板パネルの上面に支承させ、それによって蓋板本体１０を開いた位置に保持させることができる。また紙容器を閉鎖させるときは蓋板本体１０を上板パネル１に重ね合わせ、係合切り込み１４を取り出し口１５の円弧状部１６に係止させる。
【００１４】
尚、本発明の紙容器において、取り出し口１５の両側の上板パネル領域１ａ、１ｂは必要に応じてそれらに対応する蓋板パネル７の領域に易剥離接着してもよい。
【００１５】
【発明の効果】
以上詳細に説明したように本発明の紙容器は、菓子等の内容物の包装用の紙容器であって、上板パネル、側板パネル、底板パネル及び上板パネルに重ね合わされる蓋板パネルを備え、上板パネルには内容物の取り出し口が設けられ、蓋板パネルは根部と該根部に対して折線を介して連設され、該折線を中心に回動自在な蓋板本体からなり、前記折線は内容物の取り出し口の後方端縁の近傍に位置し、根部には前記折線から根部側へ突出してコ字状切り込みが刻設され、前記根部はコ字状切り込みで囲まれた領域をそれに対応する上板パネルの領域に接着しないように前記折線の近傍を除いて上板パネルに固着され、蓋板本体を開いたとき蓋板本体から上板パネルの方へ突出するコ字状切り込みで囲まれた領域が上板パネルの上面に支承され、それによって蓋板本体が開いた位置に保持されるように構成されていることを特徴とするものであり、内容物を繰り返して取り出すような場合に蓋を手で起立状態に維持する必要がない利点を要する。
【００１６】
また内容物取り出し口の後方端縁の近傍の上板面領域を利用して蓋板本体の突出部を支持させるように構成し、広い取り出し口を形成したので内容物の取り出しが容易である利点を有する。
【図面の簡単な説明】
【図１】本発明の紙容器のブランクの展開図である。
【図２】本発明の紙容器の組み立て途中の状態を示す斜視図である。
【図３】本発明の紙容器の開封状態を示す斜視図である。
【図４】従来の紙容器を示す斜視図である。
【図５】図４に示す紙容器の開封状態を示す縦断面図である。
【図６】従来の紙容器の他の例を示す斜視図である。
【符号の説明】
１    上板パネル
２    側板パネル
３    側板パネル
４    側板パネル
５    側板パネル
６    底板パネル
７    蓋板パネル
８    補助パネル
９    根部
１０  蓋板本体
１１  折線
１２  コ字状切り込み
１３  切り取り線
１４  係合切れ目
１５  取り出し口
１６  円弧状部
１７  固着部
１ａ、１ｂ  取り出し口の両側の上板面領域
【図１】
0003960514.tif 000002
【図２】
0003960514.tif 000003
【図３】
0003960514.tif 000004
【図４】
0003960514.tif 000005
【図５】
0003960514.tif 000006
【図６】
0003960514.tif 000007